(57)【要約】      （修正有）【課題】繰り返し容易に折り畳み及び開くことができる紙片状広告媒体を提供すること。【解決手段】紙片状広告媒体１は、一枚の矩形シートを四つ折りにして形成され、左側から右側に向かって第一紙片１０、第二紙片２０、第三紙片３０及び第四紙片４０が隣接して構成されており、第二紙片２０と第三紙片３０の折り畳み線が紙片状広告媒体の中心線Ｃ１となっており、第一紙片１０の表面が第二紙片２０の表面に合うように折り畳んだ時に、第一紙片１０の側端部１０ｅと中心線Ｃ１とが所定の第一距離を有するように構成されており、第四紙片４０の表面４０ａが第三紙片３０の表面３０ａに合うように折り畳んだ時に、第四紙片の側端部４０ｅと中心線Ｃ１と所定の第二距離を有するように構成されている。【選択図】図７
0003212355.tif 000002
【実用新案登録請求の範囲】
【請求項１】
一枚の矩形シートを四つ折りにして形成する紙片状広告媒体であって、
左側から右側に向かって第一紙片、第二紙片、第三紙片及び第四紙片が隣接して構成されており、
前記第二紙片と前記第三紙片の折り畳み線が前記紙片状広告媒体の中心線となっており、
前記第一紙片の表面が前記第二紙片の表面に合うように折り畳んだ時に、前記第一紙片の側端部と前記中心線とが所定の第一距離を有するように構成されており、
前記第四紙片の表面が前記第三紙片の表面に合うように折り畳んだ時に、前記第四紙片の側端部と前記中心線とが所定の第二距離を有するように構成されている、
紙片状広告媒体。
【請求項２】
前記第一距離と前記第二距離は同一の長さである、
請求項１に記載の紙片状広告媒体。
【考案の詳細な説明】
【技術分野】
【０００１】
本考案は、紙片状広告媒体に関する。
【背景技術】
【０００２】
従来、パンフレットなど、紙製の広告媒体が利用されている（例えば、特許文献１）。
【先行技術文献】
【特許文献】
【０００３】
【特許文献１】特開３８３１７６８号公報
【考案の概要】
【考案が解決しようとする課題】
【０００４】
図８は、従来の典型的な四つ折りパンフレット１００を示す。図８（ａ）に示すように、パンフレット１００は、１枚のシートを４つ折りにして構成されており、第一紙片１１０、第二紙片１２０、第三紙片１３０及び第四紙片１４０で構成される。第二紙片１２０と第三紙片１３０の折り畳み線Ｃ１がパンフレット１００の中心線Ｃ１となっている。第一紙片１１０乃至第四紙片１４０は同一の幅に形成されることによって、紙面の面積を最大限活用して広告等を表示することができるようになっている。しかし、実際には、製造工程の誤差等により、第一紙片１１０乃至第四紙片１４０の幅が同一ではない場合がある。例えば、図８（ａ）の状態から、第四紙片１４０の表面１４０ａを第三紙片１３０の表面１３０ａに合わせるように折りたたむと、図８（ｂ）のようになる。第四紙片１４０の幅が第三紙片１３０の幅よりも長い場合には、第四紙片１４０の側端部１４０ｅが中心線Ｃ１よりも左側に位置する。図８（ｂ）の状態から、第一紙片１１０の表面１１０ａを第二紙片１２０の表面１２０ａに合わせるように折りたたむと、図８（ｃ）のようになる。ここで、第一紙片１１０の幅が第二紙片１２０の幅よりも長い場合には、第一紙片１１０の側端部１１０ｅが中心線Ｃ１よりも右側に位置する。そうすると、中心線Ｃ１において、第一紙片１１０と第四紙片１４０の一方だけではなく、双方が重複するから、第一紙片１１０の裏面１１０ｂと第四紙片１４０の裏面１４０ｂが合わさるように折り畳むことが困難である。実際には、第一紙片１１０乃至第四紙片１４０がまったく同一であっても、第一紙片１１０の側端部１１０ｅの端面と第四紙片１４０の側端部１４０ｅの端面が干渉して、第一紙片１１０の裏面１１０ｂと第四紙片１４０の裏面１４０ｂが合わさるように折り畳むことが困難であり、一旦折り畳んだとしても、パンフレット１００を開いて再び折り畳むことは困難である。
【０００５】
本考案はかかる問題の解決を試みたものであり、繰り返し容易に折り畳み及び開くことができる紙片状広告媒体を提供することを目的とする。
【課題を解決するための手段】
【０００６】
第一の考案は、一枚の矩形シートを四つ折りにして形成する紙片状広告媒体であって、左側から右側に向かって第一紙片、第二紙片、第三紙片及び第四紙片が隣接して構成されており、前記第二紙片と前記第三紙片の折り畳み線が前記紙片状広告媒体の中心線となっており、前記第一紙片の表面が前記第二紙片の表面に合うように折り畳んだ時に、前記第一紙片の側端部と前記中心線とが所定の第一距離を有するように構成されており、前記第四紙片の表面が前記第三紙片の表面に合うように折り畳んだ時に、前記第四紙片の側端部と前記中心線とが所定の第二距離を有するように構成されている、紙片状広告媒体である。
【０００７】
第一の考案の構成によれば、紙片状広告媒体の中心線と第一紙片の側端部及び第四紙片の側端部とは、それぞれ、第一距離及び第二距離を有するから、第一紙片の表面と第二紙片の表面が合うように折り畳み、第四紙片の表面と第三紙片の表面が合うように折り畳んだ状態において、第一紙片と第四紙片が干渉することはない。このため、第一紙片の裏面と第四紙片の裏面とが合うように折り畳むときに、第一紙片または第四紙片が障害になることはない。また、紙片状広告媒体を完全に折り畳んだ状態から開くときにも、第一紙片と第四紙片が干渉することはない。これにより、繰り返し容易に折り畳み及び開くことができる。
【０００８】
第二の考案は、第一の考案の構成において、前記第一距離と前記第二距離は同一の長さである、紙片状広告媒体である。
【考案の効果】
【０００９】
本考案によれば、繰り返し容易に折り畳み及び開くことができる紙片状広告媒体を提供することができる。
【図面の簡単な説明】
【００１０】
【図１】本考案の実施形態に係る紙片状広告媒体の概略展開図である。
【図２】紙片状広告媒体の一部を折り畳んだ状態を示す概略図である。
【図３】紙片状広告媒体の一部を折り畳んだ状態を示す概略図である。
【図４】紙片状広告媒体を完全に折り畳んだ状態を示す概念図である。
【図５】紙片状広告媒体を完全に折り畳んだ状態を示す概念図である。
【図６】紙片状広告媒体の一部を開いた状態を示す概念図である。
【図７】紙片状広告媒体の一部を開いた状態を示す概念図である。
【図８】従来の紙片状広告媒体を示す概念図である。
【考案を実施するための形態】
【００１１】
以下、本考案を実施するための形態（以下、実施形態）について詳細に説明する。以下の説明においては、同様の構成には同じ符号を付し、その説明を省略又は簡略する。なお、当業者が適宜実施できる構成については説明を省略し、本考案の基本的な構成についてのみ説明する。
【００１２】
図１乃至図５に示すように、紙片状広告媒体１は、一枚の矩形シートを四つ折りにして形成されている。紙片状広告媒体１は、表面及び裏面には、広告が印刷されている。以下、紙片状広告媒体１を「パンフレット１」と呼ぶ。パンフレット１は、図１に示すように、左側から右側に向かって、第一紙片１０、第二紙片２０、第三紙片３０及び第四紙片４０から構成される。図１の表面側を表面とし、図１の裏面側を裏面とする。パンフレット１の材質は、やや厚手の紙であるが、材料はこれに限らず、例えば、プラスチック製のシートであってもよい。
【００１３】
図１に示すように、第一紙片１０乃至第四紙片４０は縦方向の長さＨ１を有する。第１紙片１０及び第四紙片４０は横方向の長さＬ１を有し、第二紙片２０及び第三紙片３０は横方向の長さＬ２を有する。長さＬ１は長さＬ２よりも短い。これにより、後述するように、第一紙片１０及び第四紙片４０を折り畳むと、それぞれの端部１０ｅ及び４０ｅと中心線Ｃ１との間に所定の距離を有するようになっている。
【００１４】
パンフレット１は、全体として、片手で保持できる程度の大きさに構成されている。パンフレット１の縦方向の長さＨ１は、平均的な日本人の大人の手の平の長さ（中指が伸びる方向の長さ）よりも短い長さであり、横方向の長さ（Ｌ１×２＋Ｌ２×２）は、平均的な日本人の大人の手の平の長さ（手首の付け根から中指の先までの長さ）の１．５乃至２．０倍の長さである。本実施形態において、長さＨ１は９１ｍｍ（ミリメートル）、長さＬ１は５２ｍｍ、長さＬ２は５５ｍｍである。
【００１５】
図１に示すように、第二紙片２０と第三紙片３０の折り畳み線Ｃ１がパンフレット１の中心線Ｃ１となっている。パンフレット１を完全に展開した状態（図１参照）から、矢印Ｘ１に示すように、第一紙片１０の表面１０ａが第二紙片２０の表面２０ａに合うように折り畳むと、第一紙片１０の側端部１０ｅと中心線Ｃ１とが所定の第一距離Ｌ３を有するように構成されている（図２参照）。
【００１６】
図２の状態から、矢印Ｘ２に示すように、第四紙片４０の表面４０ａが第三紙片３０の表面３０ａに合うように折り畳むと、第四紙片４０の側端部４０ｅと中心線Ｃ１とが所定の第二距離Ｌ４を有するように構成されている（図３参照）。第一距離Ｌ３と第二距離Ｌ４は同一の長さである。
【００１７】
図３の状態から、矢印Ｘ３に示すように、第一紙片１０の裏面１０ｂと第四紙片４０の裏面４０ｂが合うように折りたたむと、パンフレット１は完全に閉じた状態になる（図４及び図５参照）。
【００１８】
上述の折り畳み工程において、第一紙片１０の側端部１０ｅと中心線Ｃ１とが所定の第一距離Ｌ３を有し、第四紙片４０の側端部４０ｅと中心線Ｃ１とが所定の第二距離Ｌ４を有することによって、第一紙片１０と第四紙片４０が干渉することがないから、容易に折り畳むことができる。第一距離Ｌ３及び第二距離Ｌ４は、製造工程における寸法の誤差を考慮しても、折り畳みの際及び展開する際に、第一紙片１０と第四紙片４０が干渉することがなく、かつ、第一紙片１０の側端部１０ｅが第三紙片３０の表面３０ａと干渉する程度を低減し（あるいは、干渉をなくし）、第四紙片４０の側端部４０ｅが第二紙片２０の表面２０ａと干渉する程度を低減し（あるいは、干渉をなくし）、さらに、広告を表示するための面積を最大限に活用できる長さとして規定されている。第一距離Ｌ３及び第二距離Ｌ４は、長さＬ２の４％乃至７％として規定されており、本実施形態においては３ｍｍ、すなわち、長さＬ２（５５ｍｍ）の５．５％である。なお、本実施形態においては、第一距離Ｌ３と第二距離Ｌ４は同一の長さとしたが、これとは異なり、第一距離Ｌ３と第二距離Ｌ４とを異なる長さとしてもよい。
【００１９】
図５に示すように、パンフレット１を完全に折り畳んだ状態において、第一紙片１０と第二紙片２０との折り畳み線Ｃ２と第三紙片３０と第四紙片４０との折り畳み線Ｃ３との間には距離ｄ１が生じるようになっている。第一紙片１０と第二紙片２０とを折り畳んだ状態、第三紙片３０と第四紙片４０とを折り畳んだ状態においては、それぞれ、折り畳んだ状態から元の状態に戻ろうとする復元力が作用する。第二紙片２０と第三紙片３０の折り畳み線Ｃ１（中心線Ｃ１）は開くことができないのであるが、中心線Ｃ１と反対側は開放部であるから、距離ｄ１を有するように開くようになっている。
【００２０】
図５のパンフレット１の距離ｄ１の隙間に、例えば、ユーザーの右手の指を差し入れることにより、折り畳み線Ｃ２と折り畳み線Ｃ３の距離を広げること、すなわち、パンフレット１を開くことは容易である。そして、第一紙片１０の側端部１０ｅと中心線Ｃ１とが所定の第一距離Ｌ３を有し、第四紙片４０の側端部４０ｅと中心線Ｃ１とが所定の第二距離Ｌ４を有することによって、パンフレット１を開くときに、第一紙片１０と第四紙片４０が干渉することがないから、容易に開くことができる。これに対して、もしも、開く対象が、折り畳み線Ｃ２及び折り畳み線Ｃ３ではなく、一枚の紙である場合には、厚さが薄いから、相対的に開くことが困難である。また、上述の第一距離Ｌ３及び第三距離Ｌ４を有しない場合には、パンフレット１を開くときに、第一紙片１０と第四紙片４０が干渉するから、容易に開くことはできない。
【００２１】
折り畳み線Ｃ２と折り畳み線Ｃ３の距離を広げることによって、第二紙片２０（及び第一紙片１０）と第三紙片３０（及び第四紙片４０）とを９０度以上の角度まで広げ、左手５０Ｌで保持すると、図６のようになる。図６の状態において、第二紙片２０と第三紙片３０との折り畳み線Ｃ１は開かれており、第四紙片４０の側端部４０ｅは動きの制限を受けないから、第四紙片４０の復元力によって、その側端部４０ｅは第三紙片３０に対して距離ｄ２を有するようになっている。
【００２２】
図６の距離ｄ２の隙間に、例えば、ユーザーの右手の指を差し入れて、パンフレット１をさらに開き、右手５０Ｒで保持すると、図７のようになる。図７の状態において、第二紙片２０と第三紙片３０との折り畳み線Ｃ１は開かれており、第一紙片１０の側端部１０ｅは動きの制限を受けないから、第一紙片１０の復元力によって、その側端部１０ｅは第二紙片２０に対して距離ｄ３を有するようになっている。図７の距離ｄ３の隙間に、例えば、ユーザーの左手の指を差し入れて、パンフレット１を開くことで、パンフレット１を完全に展開することができる（図１参照）。
【００２３】
パンフレット１を開く工程において、第一紙片１０と第四紙片４０が互いに干渉することはないから、円滑に展開を進行することができる。また、パンフレット１を開いた状態から折り畳むときにも、第一紙片１０と第四紙片４０が互いに干渉することはないから、円滑に折り畳みを進行することができる。
【００２４】
なお、本考案は上述の各実施形態に限定されるものではなく、本考案の目的を達成できる範囲での変形、改良等は本考案に含まれるものである。
【符号の説明】
【００２５】
１  紙片状広告媒体（パンフレット）
１０  第一紙片
２０  第二紙片
３０  第三紙片
４０  第四紙片
【図１】
0003212355.tif 000003
【図２】
0003212355.tif 000004
【図３】
0003212355.tif 000005
【図４】
0003212355.tif 000006
【図５】
0003212355.tif 000007
【図６】
0003212355.tif 000008
【図７】
0003212355.tif 000009
【図８】
0003212355.tif 000010